(57)【特許請求の範囲】
【請求項１】
内部に熱交換器、ファン、ファンモーター、ファンモーター取付け具から構成される風回路と、圧縮機、膨張弁、二方弁及び三方弁で成る配管接続部から構成される冷凍サイクルと、前記風回路と前記冷凍サイクルを仕切る仕切板と、電気部品を取付ける電源板を具備する電源部と、前記電源部と前記配管接続部を覆う内面側に板金製の保護カバーが具備される配管カバーと、外装を構成する外装部品とで構成される空気調和機の室外機において、対になって設置される室内機と前記室外機とを接続する内外接続電線を接続するために前記電源板に取付けられた室外機端子台を、前記電源板と共に覆うことができる樹脂成形品からなる電源カバーを、前記電源板に取付けることを特徴とする空気調和機室外機の電源板。
【請求項２】
室外機端子台を覆うことができる樹脂成形品からなる電源カバーが室内機と室外機を接続する内外接続電線の電線押え部を同時成形し、前記電源カバーを電源板に取付けるように構成されたことを特徴とする請求項１記載の空気調和機室外機の電源板。
【請求項３】
電源カバーを板金にて成形し、前記電源カバーを電源板に取付けることを特徴とする請求項２記載の空気調和機室外機の電源板。
【請求項４】
板金からなる電源カバーの室内機と室外機を接続する内外接続電線の電線押え部を、樹脂成形品の別部品となす電線押え具にて構成し、樹脂成形からなる前記電線押え具を板金からなる前記電源カバーに取付け、前記電源カバーを電源板に取付けることを特徴とする請求項３記載の空気調和機室外機の電源板。
【発明の詳細な説明】
【０００１】
【発明の属する技術分野】
本発明は、空気調和機室外機の電源板に関するものである。
【０００２】
【従来の技術】
従来例について図９、図１０で説明する。
【０００３】
図９は、従来例における室外機側の内外接続電線接続部の透視正面図であり、図１０は、図９の右側面図である。
【０００４】
従来の空気調和機室外機は、図９、図１０に示されるように、室外機端子台２は電源板３に固定され、前記電源板３は室外機外装部品１（以下、外装部品）に固定されていた。前記外装部品１には室内機と室外機間を接続する電源線や信号線などの内外接続電線（以下、電線）を接続するための開口部が設けられ、前記電線は電線押え具５で固定される。また、前記開口部を覆うように樹脂成形品からなる配管カバー６が取付けられており、前記配管カバー６の内側には、板金からなる保護カバー７が溶着などの方法で取付けられていた。前記保護カバー７は室外機外部からのいわゆる外火による内部への類焼を防ぐ効果がある。
【０００５】
【発明が解決しようとする課題】
しかしながら、上記従来の構成では、外装部品の隙間や、電装品の温度上昇を防ぐために開けられた開口部から室外機内部へ浸入した粉塵、ミストなどが室外機端子台に堆積し、この堆積物により前記室外機端子台が汚れ、錆が発生しやすく、場合によっては、過度の温度上昇につながり正常なる運転を阻害するという課題を有していた。
【０００６】
本発明はこのような従来の課題を解決するものであり、外装部品のわずかな隙間や電装品の温度上昇を防ぐために開けられた開口部から室外機内部へ浸入した粉塵、ミストなどの室外機端子台への堆積による端子台の汚れ、錆の発生を防止し、正常なる運転を実現することを目的とする。
【０００７】
【課題を解決するための手段】
上記課題を解決するために、本発明における請求項１記載の発明は、電気部品を取付ける電源板において、室内機と室外機を電線にて接続するための室外機端子台を、前記電源板と共に覆うことができる樹脂成形品からなる電源カバーを前記電源板に取付けることを特徴とする。
【０００８】
また、請求項２記載の発明は、室外機端子台を覆うことができる上記電源カバーが室内機と室外機を接続する電線の電線押え部を形成し、前記電源カバーを電源板に取付けることを特徴とする。
【０００９】
また、請求項３記載の発明は、上記電源カバーを板金にて成形し、前記電源カバーを電源板に取付けることを特徴とする。
【００１０】
また、請求項４記載の発明は、上記板金からなる電源カバーの室内機と室外機を接続する電線の電線押え部を、樹脂成形からなる電線押え具にて構成し、樹脂成形からなる前記電線押え具を板金からなる電源カバーに取付け、前記電源カバーを電源板に取付けることを特徴とする。
【００１１】
【発明の実施の形態】
以下、本発明の実施形態について図１〜図８を用いて説明する。
【００１２】
図１は、本発明の第１の実施形態における室外機側の内外接続電線接続部の透視正面図であり、図２は、図１の右側面図である。
【００１３】
図３は、本発明の第２の実施形態における室外機側の内外接続電線接続部の透視正面図であり、図４は、図３の右側面図である。
【００１４】
図５は、本発明の第３の実施形態における室外機側の内外接続電線接続部の透視正面図であり、図６は、図５の右側面図である。
【００１５】
図７は、本発明の第４の実施形態における電源カバーの正面図であり、図８は、図７の左側面図である。
【００１６】
尚、同一内容については、同一符号を付与し、説明を省略する。
【００１７】
図１、図２において、室外機は、内部に風回路と冷凍サイクルを有し、電気部品を取付ける電源板３及び、外装を構成する外装部品１を有し、電源部および配管接続部を同時に覆う配管カバー６が前記外装部品１に取付けられており、前記配管カバー６の内側には板金からなる保護カバー７が取付けられている。前記電源板３には室外機端子台２が取付けられており、かつ、別途、電線押え具５が取付けられ、さらに、前記室外機端子台２を覆うように樹脂成形品からなる電源カバー４が前記電源板３に取付けられている。
【００１８】
図３、図４において、室外機の前記室外機端子台２を覆うことができる樹脂成形品からなる電源カバー４ａが室内機と室外機を接続する電線の電線押え部８ａを同時成形し、前記電源カバー４ａが前記電源板３に取付けられている。
【００１９】
図５、図６において、室外機の前記室外機端子台２を覆うことができる樹脂成形品ではなく板金からなる電源カバー４ｂが室内機と室外機を接続する電線の電線押え部８ｂを同時形成し、かつ、板金にて成形された前記電源カバー４ｂが前記電源板３に取付けられている。
【００２０】
図７、図８において、板金からなる電源カバーの室内機と室外機を接続する電線の電線押え部を、樹脂成形品である別部品の電線押え具５ｃにて構成し、樹脂成形からなる前記電線押え具５ｃを板金からなる電源カバー４ｃに取付け、前記電源カバー４ｃが電源板に取付けられる。
【００２１】
【発明の効果】
本発明は、以上説明したように構成されており、以下に記載されるような効果を奏する。
【００２２】
すなわち、本願発明によれば、室外機端子台を覆うように樹脂成形品からなる電源カバーを電源板に取付けることにより、外装部品のわずかな隙間や、電装品の温度上昇を防ぐために開けられた開口部から室外機内部へ浸入した粉塵、ミストなどが室外機端子台に堆積し、この堆積物による室外機端子台の汚れ、錆の発生防止が可能となり、過度の温度上昇などによる運転への支障などの影響を防止し、正常なる運転を実現することで品質の維持向上が図れる。
【００２３】
また、本願発明によれば、室外機端子台を覆うことができる樹脂成形品からなる電源カバーが室内機と室外機を接続する内外接続電線の電線押え部を同時成形していることにより、粉塵、ミストなどによる室外機端子台の汚れ、錆の防止に加えて、室内機と室外機を接続する内外接続電線の電線押え具を無くすことができ、据付作業性向上およびコストダウンが図れる。
【００２４】
また、本願発明によれば、室外機の端子台を覆うことができ、室内機と室外機を接続する内外接続電線の電線押え部を同時成形している電源カバーが板金による成形品にて作製されることにより、粉塵、ミストなどによる室外機端子台の汚れ、錆の防止、および、室内機と室外機を接続する内外接続電線の電線押え具を無くすことができ、加えて、従来、配管カバーの内面側に取付けられていた板金製の保護カバーを無くすことができ、更なるコストダウンが図れる。
【００２５】
また、本願発明によれば、板金からなる電源カバーの室内機と室外機を接続する内外接続電線の電線押え部を、樹脂成形品の別部品となす電線押え具にて構成し、前記電線押え具を板金からなる電源カバーに取付け、この電源カバーを電源板に取付けることにより、粉塵、ミストなどによる室外機端子台の汚れ、錆の防止、および、室内機と室外機を接続する内外接続電線の電線押え具を無くすことができ、加えて、従来、配管カバーの内面側に取付けられていた板金製の保護カバーを無くすことができ、コストダウンすることができることに加えて、さらに、室内機と室外機を接続する内外接続電線のサイズ（太さ）が異なる場合、この樹脂成形品からなる電線押え具を変更するだけで柔軟に対応でき、金型の作製費用を低減させることができる。
【図面の簡単な説明】
【図１】本発明の第１の実施形態を示す室外機側の内外接続電線接続部の透視正面図
【図２】本発明の第１の実施形態を示す図１の右側面図
【図３】本発明の第２の実施形態を示す室外機側の内外接続電線接続部の透視正面図
【図４】本発明の第２の実施形態を示す図３の右側面図
【図５】本発明の第３の実施形態を示す室外機側の内外接続電線接続部の透視正面図
【図６】本発明の第３の実施形態を示す図５の右側面図
【図７】本発明の第４の実施形態を示す電源カバーの正面図
【図８】本発明の第４の実施形態を示す図７の左側面図
【図９】従来の室外機側の内外接続電線接続部の透視正面図
【図１０】従来の図９の右側面図
【符号の説明】
１  室外機外装部品
２  室外機端子台
３  電源板
４、４ａ、４ｂ、４ｃ  電源カバー
５、５ｃ  電線押え具
６  配管カバー
７  保護カバー
８ａ、８ｂ  電線押え部
【図１】
0003858583.tif 000002
【図２】
0003858583.tif 000003
【図３】
0003858583.tif 000004
【図４】
0003858583.tif 000005
【図５】
0003858583.tif 000006
【図６】
0003858583.tif 000007
【図７】
0003858583.tif 000008
【図８】
0003858583.tif 000009
【図９】
0003858583.tif 000010
【図１０】
0003858583.tif 000011